(57)【要約】      （修正有）【課題】看者の興味を高める趣味性の高い装飾プレートを提供する。【解決手段】表裏一対の透明樹脂板１、６と、一方の透明樹脂板１の裏面に接着剤層２を介して透明なフィルム基材３ａにホログラム３ｂを形成したホログラムフィルム層３と、該ホログラムフィルム層３の裏面に表側図柄が印刷される第１印刷絵柄層４と、該第１印刷絵柄層４の裏面に印刷された第１白止め印刷層５とを設けてなり、表面に裏側図柄が印刷される第２印刷絵柄層７と、該第２印刷絵柄層７の表側に印刷される第２白止め印刷層８とを設けた他方の透明樹脂板６を、第１白止め印刷層５と第２白止め印刷層７とが上下に重なるように両面を接着する両面接着剤層９を設けて構成される。【選択図】図１
0003212639.tif 000002
【実用新案登録請求の範囲】
【請求項１】
１または表裏一対の２つの透明樹脂板と、
該１または一方の透明樹脂板の裏面に接着剤層を介して透明なフィルム基材にホログラムを形成したホログラムフィルム層と、
該ホログラムフィルム層の裏面に表側図柄が印刷される第１印刷絵柄層と、
該第１印刷絵柄層の裏面に印刷された第１白止め印刷層とを設けてなり、
該１白止め印刷層の裏面に直接に裏側図柄が印刷される第２印刷絵柄層を設け、
または、前記透明樹脂板の裏面に、表面に裏側図柄が印刷される第２印刷絵柄層と、該第２印刷絵柄層の表側に印刷される第２白止め印刷層とを設けた他方の透明樹脂板を、前記第１白止め印刷層と第２白止め印刷層とが上下に重なるように両面を接着する両面接着剤層を設けてなることを特徴とする装飾プレート。
【請求項２】
装飾プレートが表裏一対のプレートからなっており、
表側プレートが、表面に配置される表側透明樹脂板と、該表側透明樹脂板の裏面に接着剤層を介して透明なフィルム基材にホログラムを形成したホログラムフィルム層を設け、該ホログラムフィルム層の裏面に表側図柄が印刷される第１印刷絵柄層を設け、該第１印刷絵柄層の裏面に印刷される第１白止め印刷層を設けてなり、
裏側プレートが、裏面に配置される裏側透明樹脂板と、該裏側透明樹脂板の表側に裏側図柄が印刷される第２印刷絵柄層を設け、該第２印刷絵柄層の表側に印刷される第２白止め印刷層とを設けてなり、
表側プレートと裏側プレートを整合させ、第１白止め印刷層と第２白止め印刷層との間に両面接着剤層を設けて表側プレートと裏側プレートとを固着させてなることを特徴とするホログラムを有する請求項１に記載の装飾プレート。
【請求項３】
裏側プレートの裏側透明樹脂板と、第２印刷絵柄層との間に裏側ホログラム層が介設され、該裏側ホログラム層が接着剤層を介して裏側透明樹脂板に接着されていることを特徴とする請求項２に記載の装飾プレート。
【請求項４】
装飾プレートが、表面に配置される表側透明樹脂板と、該表側透明樹脂板の裏面に第１接着剤層を介して透明なフィルム基材にホログラムを形成したホログラムフィルム層を設け、該ホログラムフィルム層の裏面に表側図柄が印刷される第１印刷絵柄層を設け、該第１印刷絵柄層の裏面に印刷される第１白止め印刷層を設け、該該１白止め印刷層の裏面に裏側図柄が印刷される第２印刷絵柄層を設けてなることを特徴とする請求項１に記載の装飾プレート。
【請求項５】
第２印刷絵柄層の裏面に前記ホログラムフィルム層を上下逆に配置した裏側ホログラム層が形成されていることを特徴とする請求項４に記載の装飾プレート。
【考案の詳細な説明】
【技術分野】
【０００１】
従来、特開２０１１−４２１５９号の印刷シート及び印刷体の発明では、ホログラムフィルム、レンズフィルム、メタルフィルム又はマジカルフィルムである光の屈折効果による視覚効果を有する光反射フィルムの一方の面に、合成樹脂層を形成して、オンデマンド印刷可能な厚さ及び強度を確保するようにしたことを特徴とする印刷用シート及び印刷体が知られているが、表裏の画像を印刷すると共に、表面にはホログラムを施して目を引く要素により看者の興味を高める装飾プレートは提案されていなかった。
【先行技術文献】
【特許文献】
【０００２】
【特許文献１】特開２０１１−４２１５９号公報
【考案の概要】
【考案が解決しようとする課題】
【０００３】
この考案は、上記事情に鑑みて創案されたものであって、その主たる課題は、透明樹脂板の表側にはキャラクターの表側の図柄が表示され、透明樹脂板の裏側からはキャラクターの裏側の図柄が表示され、表側の図柄にはホログラムが施されて、看者の注目を高める趣味性の高い装飾プレートを提供することにある。
【課題を解決するための手段】
【０００４】
上記課題を達成するために、この考案の装飾プレートでは、
１または表裏一対の透明樹脂板と、
該１または一方の透明樹脂板の裏面に接着剤層を介して透明なフィルム基材にホログラムを形成したホログラムフィルム層と、
該ホログラムフィルム層の裏面に表側図柄が印刷される第１印刷絵柄層と、
該第１印刷絵柄層の裏面に印刷された第１白止め印刷層とを設けてなり、
該１白止め印刷層の裏面に直接に裏側図柄が印刷される第２印刷絵柄層を設け、
または、前記透明樹脂板の裏面に、表面に裏側図柄が印刷される第２印刷絵柄層と、該第２印刷絵柄層の表側に印刷される第２白止め印刷層とを設けた他方の透明樹脂板を、前記第１白止め印刷層と第２白止め印刷層とが上下に重なるように両面を接着する両面接着剤層を設けてなることを特徴とする。
また、ホログラムフィルム層は、第２印刷絵柄層の下面にも設けても良い。
【考案の効果】
【０００５】
透明樹脂板の表側から見るとキャラクターの表側の図柄がホログラムと組み合わされて表現されており、裏側から見るとキャラクターの裏側の図柄を見ることができるので、キャラクターに立体感を感じることができる。
特に、表側の図柄にはホログラムが施されて、看者の注目を高める趣味性の高い図柄となるので、ユーザーのアイキャッチ性が高まる。
【図面の簡単な説明】
【０００６】
【図１】実施例１の分解断面図である。
【図２】実施例２の断面図である。
【図３】実施例３の分解断面図である。
【図４】実施例２の最下面に裏側ホログラム層を設けた実施例の断面図である。
【考案を実施するための形態】
【０００７】
以下に、この考案の好適実施例について図面を参照しながら説明する。
この考案で、透明樹脂板は表裏一対、または１つであってもよいので、前者を実施例１として説明し、後者を実施例２として説明する。
【実施例１】
【０００８】
実施例１の装飾プレート１０は、表面に配置される表側透明樹脂板（以下「表側プレートＰ１」とする。）と裏面に配置される裏面側透明樹脂板（以下「裏側プレートＰ２」とする。）とからなっている。
【０００９】
ここで、表側プレートＰ１と裏側プレートＰ２とは、外周形状だけでなく厚みも同一であってもよいが、一方を他方より薄く設定したものでもよい。
本実施例では、表側透明樹脂板１として、透明アクリル板を用いたが、その他の公知の透明な樹脂板であってもよい。
この表側透明樹脂板１と裏側透明樹脂板２の厚みは一例として２ｍｍとしたが、この考案では上記数値に限定されないこと勿論である。
【００１０】
また、後述のように、表側プレートＰ１の裏面と裏側プレートＰ２の表面とは一体に接着されるので、平坦面であることが好ましいが、傾斜面や球面、凹凸を有する面であってもよい。
同様に、表側プレートＰ１の表面と裏側プレートＰ２の裏面とは、光が乱反射しないように平坦面であることが好ましいが、図柄との関係で違和感が生じなければ、傾斜面や球面、凹凸面などであってもよい。
【００１１】
表側プレートＰ１は、表面に配置される表側透明樹脂板１と、該表側透明樹脂板１の裏面に接着剤層２を介して透明なフィルム基材３ａにホログラム３ｂを形成したホログラムフィルム層３と、該ホログラムフィルム層３の裏面に表側図柄が印刷される第１印刷絵柄層４を設け、該第１印刷絵柄層４の裏面に印刷される第１白止め印刷層５を設けている。
【００１２】
ここで、ホログラムフィルム層３のフィルム基材３ａは透明な樹脂フィルム（ラミネートフィルム）であり、本実施例では、ポリエチレンテレフタレート（ＰＥＴ）、またはポリプロピレン（ＰＰ）が用いられている。
ホログラムフィルム層３の構造は、前記フィルム基材３ａの表層にホログラムエンボス加工を施してホログラム３ｂを形成しているが、その他の公知の方法でホログラム加工されたものでもよい。
このホログラムフィルム層３は、表面に糊などの接着剤が塗布されて接着剤層２となり、前記表側透明樹脂板１の裏面に一体に接着されている。
【００１３】
上記ホログラムフィルム層３の裏面のフィルム基材３ａに、第１印刷絵柄層４が印刷される。
本実施例で、第１印刷絵柄層４は、ＵＶインキジェット印刷機を用いて、キャラクターを表側から見た表側絵柄をフルカラー印刷して形成されている。
【００１４】
ここで、キャラクターは、マンガでもよいし人物や動物などの写真であってもよい。
また、印刷はフルカラーに限らず、２色以上の多色印刷や、モノクロで印刷したものでもよい。
そして、第１印刷絵柄層４の裏面に沿って、同様にＵＶインキジェット印刷機を用いて第１白止め印刷層５が印刷され、第１印刷絵柄層４の表側絵柄が裏面側から見えないようにマスクしてある。
【００１５】
次に、裏側プレートＰ２には、表側プレートＰ１と接着して装飾プレート１０となった際に装飾プレート１０の裏面となる裏側透明樹脂板６と、該裏側透明樹脂板６の表側に裏側図柄が印刷される第２印刷絵柄層７を設け、該第２印刷絵柄層７の表側に第２白止め印刷層８が設けられている。
【００１６】
裏側透明樹脂板６は、表側透明樹脂板１と同様に、透明アクリル板を用いたが、その他の公知の透明な樹脂板であってもよい。
第２印刷絵柄層７は、ＵＶインキジェット印刷機を用いて、前記表側絵柄として表現されたキャラクターを裏側から見た裏側絵柄が裏側透明樹脂板６を通して見えるようにフルカラー印刷して形成されている。
ここでも、第２印刷絵柄層７の印刷は、フルカラー印刷に限らず、２色以上の多色印刷や、モノクロ印刷でもよい。
上記第２印刷絵柄層７の表側には、第１白止め印刷層５と同様に第２白止め印刷層８が印刷されて第２印刷絵柄層７が裏側透明樹脂板６の表面側から見た際に透けて見えないようにマスクされるようになっている。
【００１７】
このように形成された表側プレートＰ１の裏面となる第１白止め印刷層５側と、裏側プレートＰ２の表面となる第２白止め印刷層８側とを対峙させた状態で、両者を両面接着する両面接着剤層９を介することで、表側プレートＰ１と裏側プレートＰ２とが一体に接着されて装飾プレート１０が形成される。
【００１８】
これにより、装飾プレート１０を表側から見ると全面にホログラム模様がのった状態でキャラクターの表側図柄が印刷されており、装飾プレート１０の裏側から見ると、透明なアクリル板にキャラクターの裏側図柄のみが印刷されているので今までに無い趣味性の高い意匠表現を作ることができる。
【実施例２】
【００１９】
図２に示す実施例は、透明樹脂板を１つ用いてキャラクターの表裏の図柄を印刷した装飾プレート１０を示す。
本実施例の装飾プレート１０は、表面に配置される透明樹脂板１’と、該透明樹脂板１’の裏面に接着剤層２を介して透明なフィルム基材３ａにホログラム３ｂを形成したホログラムフィルム層３を設け、該ホログラムフィルム層３の裏面に表側図柄が印刷される第１印刷絵柄層４を設け、該第１印刷絵柄層４の裏面に第１白止め印刷層５を設ける構成までは前記実施例１と同様であるので、説明を省略する。
【００２０】
そして、前記該１白止め印刷層５の裏面に裏側図柄が印刷される第２印刷絵柄層７が設けられている。
これにより、装飾プレート１０を表側から見た状態は実施例１と同じであり、裏側から見た場合には、第２印刷絵柄層７を直接に視認することができる。
従って、第２印刷絵柄層７の絵柄は、透明アクリル板を通さないので、インキ皮脂面が露出し、ツヤがでない外観となるが、それ以外の点では実施例１に準じた効果を奏することができ、製作の簡便化やコストダウンを図ることができる。
【実施例３】
【００２１】
前記実施例１では、ホログラムフィルム層を表面側だけに現れる構成を例示したが裏面側にも現れる構成としてもよい。
図３に示す装飾プレートは、表側プレートＰ１は前記実施例１と同一の構造からなっているので説明を省略する。
【００２２】
次に、裏側プレートＰ２は、表側プレートＰ１と接着して装飾プレート２０となった際に装飾プレート２０の裏面となる裏側透明樹脂板６と、該裏側透明樹脂板６の表側に接着剤層１２を介して透明なフィルム基材１３ａにホログラム１３ｂを形成した裏側ホログラムフィルム層１３が設けられ、該裏側ホログラムフィルム層１３の表側に裏面に裏側図柄が印刷される第２印刷絵柄層７を設け、該第２印刷絵柄層７の裏面に第２白止め印刷層８を設けている。
【００２３】
そして、前記表側プレートＰ１の裏面となる第１白止め印刷層５側と、裏側プレートＰ２の表面となる第２白止め印刷層８側とを対峙させた状態で、両者を両面接着する両面接着剤層９を介することで、表側プレートＰ１と裏側プレートＰ２とが一体に接着されて装飾プレート２０が形成される。
ここで、裏側ホログラムフィルム層１３は、表側のホログラムフィルム層３を上下逆に配置して使用している。
その他の構成は前記実施例１と同様なので説明を省略する。
【００２４】
また実施例２の構成の場合は、図４に示すように、第２印刷絵柄層７の下面に裏側ホログラムフィルム層１３を設けてもよい（実施例４）。  
【００２５】
上記各実施例では、第１白止め印刷層や第２白止め印刷層は、第１印刷絵柄層や第２印刷絵柄層の印刷部分に限ってその図柄のみをマスクするように印刷されるが、この考案では、透明樹脂板の全面または一部に印刷されるものでもよい。
その他この考案は、上記実施例に限定されるものではなく、要するに、本考案の要旨を変更しない範囲で種々設計変更するものでもよい。
【符号の説明】
【００２６】
Ｐ１    表側プレート
Ｐ２    裏側プレート
１    表側透明樹脂板
１’  透明樹脂板
２    接着剤層
３    ホログラムフィルム層
３ａ  フィルム基材
３ｂ  ホログラム
４    第１印刷絵柄層
５    第１白止め印刷層
６    裏側透明樹脂板
７    第２印刷絵柄層
８    第２白止め印刷層
９    両面接着層
１０、２０    装飾プレート
１２    接着剤層
１３    裏側ホログラムフィルム層
１３ａ  フィルム基材
１３ｂ  ホログラム
【図１】
0003212639.tif 000003
【図２】
0003212639.tif 000004
【図３】
0003212639.tif 000005
【図４】
0003212639.tif 000006